(57)【要約】【課題】スイッチング電源回路の起動時において、消費電力の増大を招く事無く、瞬断対策回路に設けられている電解コンデンサに起因した起動時間の遅延を回避する電源回路、及び当該電源回路を搭載したプラズマテレビを提供する。【解決手段】補助巻線回路１４ｃに小容量の第２の電解コンデンサ１６ｍ及び第１のダイオード１６ｊを有する起動時給電阻止回路１６ｄを設け、起動時に、起動時給電回路１６ｃを経由して供給される電力が、瞬断対策回路１６ｂに流れるのを阻止して当該瞬断対策回路１６ｂが有する第１の電解コンデンサ１６ｋに蓄電されるのを防止し、早期にスイッチングコントロールＩＣ１６ｆに給電し起動する。【選択図】図２
2007174510.tif 000002
【特許請求の範囲】
【請求項１】
映像を表示するＰＤＰと、音声を出力するスピーカと、アンテナで受信されるテレビ放送信号から選択されているチャンネルのテレビ放送信号を抽出し出力するチューナと、当該チューナが出力したテレビ放送信号に基づき、映像を前記ＰＤＰに表示させる映像処理部と、音声を前記スピーカに出力させる音声処理部と、スイッチのオン／オフ、チャンネルの切換、音量のアップ／ダウン等を操作するリモコンと、１次側の入力電圧をトランスを介して所望の電圧に変換して２次側で出力する電源回路を有するプラズマテレビにおいて、
前記電源回路は、トランスと、当該トランスの１次側に設けられた１次側巻線回路、及び補助巻線回路と、２次側に設けられた２次側巻線回路とを備えたスイッチング電源回路であって、
前記１次側巻線回路は、交流電源からの交流電流を全波整流するダイオードブリッジ回路と、当該ダイオードブリッジ回路で全波整流された直流電流から脈流を除く平滑コンデンサと、当該平滑コンデンサで脈流が除かれた直流電流を第１のスイッチング素子でオンオフさせて生ずる交流電流が流れる１次巻線とを有し、
前記２次側巻線回路は、前記１次巻線側の電圧をトランスを介して所定の電圧に変換する２次巻線と、所定の電圧に変換された交流電流を半波整流するダイオードと、半波整流された直流電流から脈流を除く平滑コンデンサと、変圧された２次側の電圧の状態を１次側に出力してフィードバックする２次側フィードバック回路とを有し、
前記補助巻線回路は、起動時を除く平時にトランスから電源供給される補助巻線と、前記２次側フィードバック回路からの出力を入力し、２次側の変換された電圧の状態に基づいて、前記１次巻線に流れる電流を適宜オンオフする１次側フィードバック回路と、落雷などに起因して生じる前記交流電源の瞬断時における外部回路へのバックアップ給電を行う瞬断対策回路と、起動時に補助巻線回路に給電するために前記１次側巻線回路との間に設けられた起動時給電回路と、起動時の当該起動時給電回路からの前記瞬断対策回路への給電を阻止して前記１次側フィードバック回路への給電を確保する起動時給電阻止回路とを有し、
前記２次側フィードバック回路は、前記２次巻線両端子間に、２次巻線の電圧を所定の比率で降圧するために直列接続された２つの抵抗から成る分圧回路と、直列接続された電流調整用抵抗、フォトダイオード、及び第２のスイッチング素子のＥ−Ｃ間とが各々並列配置されると共に、前記分圧回路の２つの抵抗間と前記第２のスイッチング素子のＢとがツェナーダイオードを介して接続され、更に当該Ｂは抵抗を介してＧＮＤ接続されて成る一方、
前記１次側フィードバック回路は、抵抗を介した定電流電圧源とＧＮＤ間に設けられ、前記フォトダイオードからの受光に応じて定電流電圧源とＧＮＤ間をオンオフするフォトトランジスタと、当該フォトトランジスタでオンオフされる定電流電圧源が入力されると共に、起動時には前記起動時給電回路から、起動時以外には前記補助巻線両端子から各々給電され、前記フォトトランジスタでオンオフされて入力される定電流電圧に基づいて内蔵される前記第１のスイッチング素子をオンオフし、前記１次側巻線回路の１次巻線に流れる電流をチョッパ制御するスイッチングコントロールＩＣとを備えて成り、
前記２次巻線側の電圧が所定の電圧よりも上がると、前記２次側フィードバック回路において、前記分圧回路により分圧された電圧が前記ツェナーダイオードを介して前記第２のスイッチング素子のＢに印加されて当該第２のスイッチング素子はオンされ、前記フォトダイオードが発光し、これに伴い前記１次側フィードバック回路において、受光した前記フォトトランジスタは定電流電圧源とＧＮＤ間をオンして前記スイッチングコントロールＩＣへの定電流電圧源からの入力をＨｉからＬｏに切り換え、当該入力に基づいてスイッチングコントロールＩＣは、内蔵する前記第１のスイッチング素子をオンオフして前記１次巻線に流れる電流をチョッパ制御し、
前記起動時給電回路は、前記１次側巻線回路に供給される交流電源と前記補助巻線の一端側間に、前記スイッチングコントロールＩＣに適した電圧に降圧するための抵抗と、半波整流するためのダイオードとが直列配置されて成り、
前記瞬断対策回路は、前記補助巻線の一端側と前記起動時給電回路接続点間にアノードが補助巻線側となるように、半波整流するために設けられた第１のダイオードと、平時に蓄電すると共に瞬断時には前記外部回路に放電するために当該第１のダイオードのカソードと前記補助巻線の他端側との間に設けられた第１の電解コンデンサとから成り、
前記起動時給電阻止回路は、前記第１のダイオードと前記起動時給電回路接続点間にアノードが第１のダイオード側となるように、半波整流すると共に起動時に前記第１の電解コンデンサへの蓄電を阻止し前記スイッチングコントロールＩＣにのみ給電するために設けられた第２のダイオードと、前記スイッチングコントロールＩＣへの当該給電電流の脈流を除くために、前記第２のダイオードのカソードと前記補助巻線の他端側との間に設けられた、小容量の第２の電解コンデンサとから成り、
起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われず、前記スイッチングコントロールＩＣへの給電を確保して早期に起動ならしめることを特徴とする、プラズマテレビ。
【請求項２】
１次側の入力電圧をトランスを介して所望の電圧に変換して２次側で出力する電源回路において、
当該電源回路は、トランスと、当該トランスの１次側に設けられる１次側巻線回路、及び補助巻線回路と、２次側に設けられた２次側巻線回路とを備えたスイッチング電源回路であって、
前記補助巻線回路は、起動時を除く平時にトランスから電源供給される補助巻線と、前記２次側巻線回路からフィードバックされる信号に基づいて１次側巻線回路をチョッパ制御するスイッチングコントロールＩＣと、落雷などに起因して生じる前記１次側巻線回路に供給される交流電源の瞬断時における外部回路へのバックアップ給電を行う瞬断対策回路と、起動時に補助巻線回路に給電するために前記１次側巻線回路との間に設けられた起動時給電回路と、起動時の当該起動時給電回路からの前記瞬断対策回路への給電を阻止して前記スイッチングコントロールＩＣへの給電を確保する起動時給電阻止回路とを有して成ることを特徴とする、電源回路。
【請求項３】
前記瞬断対策回路は、前記補助巻線の一端側と前記起動時給電回路接続点間にアノードが補助巻線側となるように、半波整流するために設けられた第１のダイオードと、平時に蓄電すると共に瞬断時には前記外部回路に放電するために当該第１のダイオードのカソードと前記補助巻線の他端側との間に設けられた第１の電解コンデンサとから成り、
前記起動時給電阻止回路は、前記第１のダイオードと前記起動時給電回路接続点間にアノードが第１のダイオード側となるように、半波整流すると共に起動時に前記第１の電解コンデンサへの蓄電を阻止し前記スイッチングコントロールＩＣにのみ給電するために設けられた第２のダイオードと、前記スイッチングコントロールＩＣへの当該給電電流の脈流を除くために、前記第２のダイオードのカソードと前記補助巻線の他端側との間に設けられた、小容量の第２の電解コンデンサとから成ることを特徴とする、請求項２に記載の電源回路。
【請求項４】
１次側の入力電圧をトランスを介して所望の電圧に変換して２次側で出力する電源回路において、
当該電源回路は、トランスと、当該トランスの１次側に設けられた１次側巻線回路、及び補助巻線回路と、２次側に設けられた２次側巻線回路とを備えたプラズマテレビ用のスイッチング電源回路であって、
前記１次側巻線回路は、交流電源からの交流電流を全波整流するダイオードブリッジ回路と、当該ダイオードブリッジ回路で全波整流された直流電流から脈流を除く平滑コンデンサと、当該平滑コンデンサで脈流が除かれた直流電流を第１のスイッチング素子でオンオフさせて生ずる交流電流が流れる１次巻線とを有し、
前記２次側巻線回路は、前記１次巻線側の電圧をトランスを介して所定の電圧に変換する２次巻線と、所定の電圧に変換された交流電流を半波整流するダイオードと、半波整流された直流電流から脈流を除く平滑コンデンサと、変圧された２次側の電圧の状態を１次側に出力してフィードバックする２次側フィードバック回路とを有し、
前記補助巻線回路は、起動時を除く平時にトランスから電源供給される補助巻線と、前記２次側フィードバック回路からの出力を入力し、２次側の変換された電圧の状態に基づいて、前記１次巻線に流れる電流を適宜オンオフする１次側フィードバック回路と、落雷などに起因して生じる前記交流電源の瞬断時における外部回路へのバックアップ給電を行う瞬断対策回路と、起動時に補助巻線回路に給電するために前記１次側巻線回路との間に設けられた起動時給電回路と、起動時の当該起動時給電回路からの前記瞬断対策回路への給電を阻止して前記１次側フィードバック回路への給電を確保する起動時給電阻止回路とを有し、
前記２次側フィードバック回路は、前記２次巻線両端子間に、２次巻線の電圧を所定の比率で降圧するために直列接続された２つの抵抗から成る分圧回路と、直列接続された電流調整用抵抗、フォトダイオード、及び第２のスイッチング素子のＥ−Ｃ間とが各々並列配置されると共に、前記分圧回路の２つの抵抗間と前記第２のスイッチング素子のＢとがツェナーダイオードを介して接続されて、更に当該Ｂは抵抗を介してＧＮＤ接続されて成る一方、
前記１次側フィードバック回路は、抵抗を介した定電流電圧源とＧＮＤ間に設けられ、前記フォトダイオードからの受光に応じて定電流電圧源とＧＮＤ間をオンオフするフォトトランジスタと、当該フォトトランジスタでオンオフされる定電流電圧源が入力されると共に、起動時には前記起動時給電回路から、起動時以外には前記補助巻線両端子から各々給電され、前記フォトトランジスタでオンオフされて入力される定電流電圧に基づいて内蔵される前記第１のスイッチング素子をオンオフし、前記１次側巻線回路の１次巻線に流れる電流をチョッパ制御するスイッチングコントロールＩＣとを備えて成り、
前記２次巻線側の電圧が所定の電圧よりも上がると、前記２次側フィードバック回路において、前記分圧回路により分圧された電圧が前記ツェナーダイオードを介して前記第２のスイッチング素子のＢに印加されて当該第２のスイッチング素子はオンされ、前記フォトダイオードが発光し、これに伴い前記１次側フィードバック回路において、受光した前記フォトトランジスタは定電流電圧源とＧＮＤ間をオンして前記スイッチングコントロールＩＣへの定電流電圧源からの入力をＨｉからＬｏに切り換え、当該入力に基づいてスイッチングコントロールＩＣは、内蔵する前記第１のスイッチング素子をオンオフして前記１次巻線に流れる電流をチョッパ制御し、
前記起動時給電回路は、前記１次側巻線回路に供給される交流電源と前記補助巻線の一端側間に、前記スイッチングコントロールＩＣに適した電圧に降圧するための抵抗と、半波整流するためのダイオードとが直列配置されて成り、
前記瞬断対策回路は、前記補助巻線の一端側と前記起動時給電回路接続点間にアノードが補助巻線側となるように、半波整流するために設けられた第１のダイオードと、平時に蓄電すると共に瞬断時には前記外部回路に放電するために当該第１のダイオードのカソードと前記補助巻線の他端側との間に設けられた第１の電解コンデンサとから成り、
前記起動時給電阻止回路は、前記第１のダイオードと前記起動時給電回路接続点間にアノードが第１のダイオード側となるように、半波整流すると共に起動時に前記第１の電解コンデンサへの蓄電を阻止し前記スイッチングコントロールＩＣにのみ給電するために設けられた第２のダイオードと、前記スイッチングコントロールＩＣへの当該給電電流の脈流を除くために、前記第２のダイオードのカソードと前記補助巻線の他端側との間に設けられた、小容量の第２の電解コンデンサとから成り、
起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われず、前記スイッチングコントロールＩＣへの給電を確保して早期に起動ならしめることを特徴とする、請求項３に記載の電源回路。
【発明の詳細な説明】
【技術分野】
【０００１】
本発明は、１次側の入力電圧をトランスを介して所望の電圧に変換して２次側で出力する電源回路、及び当該電源回路を搭載したプラズマテレビに関する。
【背景技術】
【０００２】
近年の省エネルギーの高まりと共に、電気電子機器においてはエネルギーの低損失化が求められるようになっている。同時に、電気電子機器が複雑になるにしたがって、精度の高い直流電力を供給する必要が増大している。
【０００３】
そこで、このような要求に答えるためこうした電気電子機器には、商用交流を整流・平滑化して得られた直流電流を高周波でスイッチングし、小形の変圧器で、所望とする電圧に高効率に変圧するようにしたスイッチング電源回路が広く用いられている。
【０００４】
図３には、電気電子機器として例えばプラズマテレビに搭載される、典型的な従来技術のスイッチング電源回路５の電気的構成をブロック図で示す。
【０００５】
同図において、当該電源回路５は、トランス２と、当該トランス２の１次側に設けられた１次側巻線回路１、及び補助巻線回路４と、２次側に設けられた２次側巻線回路３とを備えた例えばプラズマテレビ用のスイッチング電源回路５である。
【０００６】
前記１次側巻線回路１は、例えば商用電源１００Ｖの交流電源１ａからの交流電流を全波整流するダイオードブリッジ回路１ｂと、当該ダイオードブリッジ回路１ｂで全波整流された直流電流から脈流を除く平滑コンデンサ１ｃと、当該平滑コンデンサ１ｃで脈流が除かれた直流電流を後述するスイッチングコントロールＩＣ４ｇが内蔵する第１のスイッチング素子４ｆでオンオフさせて生ずる交流電流が流れる１次巻線２ａとを有して成る。  
【０００７】
前記２次側巻線回路３は、前記１次巻線２ａ側の電圧をトランス２を介して所定の電圧に変換する２次巻線２ｂと、所定の電圧に変換された交流電流を半波整流するダイオード２ｃと、半波整流された直流電流から脈流を除く平滑コンデンサ２ｄと、変圧された２次側の電圧の状態を１次側に出力してフィードバックする２次側フィードバック回路２ｅとを有して成る。
【０００８】
前記補助巻線回路４は、起動時を除く平時にトランス２から電源供給される補助巻線２ｃと、前記２次側フィードバック回路２ｅからの出力を入力し、２次側の変換された電圧の状態に基づいて、前記１次巻線２ａに流れる電流を適宜オンオフする１次側フィードバック回路４ａと、落雷などに起因して生じる前記交流電源１ａの瞬断時における外部回路へのバックアップ給電を行う瞬断対策回路４ｂと、起動時に補助巻線回路４に給電するために前記１次側巻線回路１との間に設けられた起動時給電回路４ｃとを有して成る。
【０００９】
前記２次側フィードバック回路２ｅは、前記２次巻線２ｂ両端子間に、２次巻線２ｂの電圧を所定の比率で降圧するために直列接続された２つの抵抗２ｆ１，２ｆ２から成る分圧回路２ｆと、直列接続された電流調整用抵抗２ｇ、フォトダイオード２ｈ、及び第２のスイッチング素子２ｉのＥ−Ｃ間とが各々並列配置されると共に、前記分圧回路２ｆの２つの抵抗２ｆ１，２ｆ２間と前記第２のスイッチング素子２ｉのＢとがツェナーダイオード２ｊを介して接続され、更に当該Ｂは抵抗を介してＧＮＤ接続されて成る一方、前記１次側フィードバック回路４ａは、抵抗４ｄを介した定電流電圧源ＶｃｃとＧＮＤ間に設けられ、前記フォトダイオード２ｈからの受光に応じて定電流電圧源とＧＮＤ間をオンオフするフォトトランジスタ４ｅと、当該フォトトランジスタ４ｅでオンオフされる定電流電圧が入力されると共に、起動時には前記起動時給電回路４ｃから、起動時以外には前記補助巻線２ｃ両端子から各々給電され、前記フォトトランジスタ４ｅでオンオフされて入力される定電流電圧に基づいて内蔵される前記第１のスイッチング素子４ｆをオンオフし、前記１次側巻線回路１の１次巻線２ａに流れる電流をチョッパ制御するスイッチングコントロールＩＣ４ｇとを備えて成る。
【００１０】
前記２次巻線２ｂ側の電圧が所定の電圧よりも上がると、前記２次側フィードバック回路２ｅにおいて、前記分圧回路２ｆにより分圧された電圧が前記ツェナーダイオード２ｊを介して前記第２のスイッチング素子２ｉのＢに印加されて当該第２のスイッチング素子２ｉはオンされ、前記フォトダイオード２ｈが発光し、これに伴い前記１次側フィードバック回路４ａにおいて、受光した前記フォトトランジスタ４ｅは定電流電圧源ＶｃｃとＧＮＤ間をオンして前記スイッチングコントロールＩＣ４ｇへの定電流電圧源Ｖｃｃからの入力をＨｉからＬｏに切り換え、当該入力に基づいてスイッチングコントロールＩＣ４ｇは、内蔵する前記第１のスイッチング素子４ｆをオンオフして前記１次巻線２ａに流れる電流をチョッパ制御し、２次巻線２ｂ側の電圧が常に所定の値に収まるように制御される。
【００１１】
前記起動時給電回路４ｃは、前記１次側巻線回路１に供給される交流電源１ａと前記補助巻線２ｃの一端側間に、前記スイッチングコントロールＩＣ４ｇに適した電圧に降圧するための抵抗４ｈと、半波整流するためのダイオード４ｉとが直列配置されて成る。
【００１２】
即ち、平時には当該補助巻線回路４には前記補助巻線２ｃを介して給電が行われるが、起動時においては、未だ１次巻線２ａには通電されていないため、前記補助巻線２ｃからの給電ができない。そこで、こうした起動時に限っては、前記１次側巻線回路１における交流電源１ａから当該起動時給電回路４ｃを介した補助巻線回路４への給電が成されることになる。
【００１３】
前記瞬断対策回路４ｂは、前記補助巻線２ｃの一端側と前記起動時給電回路４ｃ接続点間にアノードが補助巻線２ｃ側となるように、半波整流するために設けられたダイオード４ｊと、平時に蓄電すると共に瞬断時には前記外部回路に放電するために当該ダイオード４ｊのカソードと前記補助巻線２ｃの他端側との間に設けられた電解コンデンサ４ｋとから成り、落雷などに起因して生じる前記交流電源１ａの瞬断時における外部回路へのバックアップ給電が前記電解コンデンサ４ｋからの放電により行われる。
【００１４】
本従来例におけるスイッチング電源回路５が搭載されるプラズマテレビは、電源供給を要する前記外部回路として、例えばＰＦＣ、力率改善回路、ＳＵＳ、ＡＤＲＥＳＳといった回路を有する。前記ＰＦＣは、力率改善回路に電源を供給するための回路で、機器からの高周波電源の発生を抑えるアクティブフィルタ回路である。前記ＳＵＳは、サスティン駆動回路の略で、ＰＤＰのプラズマ発光を維持するサスティン電極（維持電極）に電圧を供給するためのもので、電源全体の７０パーセントを使用する。前記ＡＤＲＥＳＳは、ＰＤＰのアドドレス電極に電源を供給するための回路である。機能上、これらの各回路には、スイッチング電源回路より精度の高い直流電力が安定して供給される必要がある。従って、落雷などにより商用電源に瞬断が生じると、これらの外部回路の動作に支障を来たす恐れがあるため、上述したような電解コンデンサ４ｋを有する瞬断対策回路４ｂが設けられている。これにより、商用電源に瞬断が生じた場合には、前記電解コンデンサ４ｋに蓄電されている電力が即時に放電され、前記各外部回路への直流電流の安定供給が保障される。
【００１５】
しかしその一方で、スイッチング電源回路５の起動時においては、この瞬断対策回路４ｂに設けられている電解コンデンサ４ｋに起因して、起動時間を遅延させてしまう問題が生じていた。
【００１６】
即ち、スイッチング電源回路５の起動時においては、前述したように未だ１次巻線２ａには通電されていないため、前記補助巻線２ｃからの給電ができないので、前記１次側巻線回路１における交流電源１ａから当該起動時給電回路４ｃを介した補助巻線回路４への給電が成される。しかし、この起動時給電回路４ｃを介して成される給電は、前記瞬断対策回路４ｂの電解コンデンサ４ｋの蓄電のために消費される。その上、当該電解コンデンサ４ｋは、瞬断時の外部回路への給電を目的としているため、容量が大きい。従って、当該電解コンデンサ４ｋが満充電となるまでに時間を要し、その間、前記スイッチングコントロールＩＣ４ｇへの給電が十分に行われず、起動が遅れてしまうこととなっていた。
【００１７】
又、この起動の遅れは、前記起動時給電回路４ｃを介する電流を大きくしてやれば、抑制することができるが、その反面、当該起動時給電回路４ｃが有する前記抵抗４ｈで電流が消費されるため、消費電力が大きくなってしまうという問題があった。
【００１８】
ところで、起動後のコンデンサへの充電を制限したり、消費電力を低減させる技術として、例えば以下のような従来技術が知られている。
【００１９】
即ち、特開２０００−１７５４４９号公報（特許文献１）では、起動抵抗及び電界効果トランジスタの直列回路によってコンデンサを充電し、その充電電圧に基づいて制御用のトランジスタＴＲ１をオンオフさせる。トランジスタＴＲ１がオンすると補助巻線に電圧が発生してトランジスタＴＲ２をオンさせ、電界効果トランジスタをオフにし、コンデンサへの充電を阻止している。
【００２０】
又、特開２００１−２３１２５２号公報（特許文献２）では、電源投入時、整流回路に接続された抵抗Ｒ１よりコンデンサＣ２に充電を行いパルス幅制御回路ＩＣが動作し始めると、ダイオードとコンデンサＣ１２で整流平滑され、抵抗Ｒ１１，コンデンサＣ１２の時定数による一定時間後にトランジスタのＧに電圧供給してオフし、起動用抵抗Ｒ１による消費電力を削減している。
【００２１】
特開２００２−２５８９２０号公報（特許文献３）では、整流回路の出力端子と制御ＩＣの電源端子間に正特性のサーミスタを接続する。電源投入時はこのサーミスタを介してコンデンサに充電を行い、スイッチング動作が始まるとサーミスタが温度上昇し、抵抗値が上昇してサーミスタによる電力消費を抑えることができる。
【特許文献１】特開２０００−１７５４４９号公報
【特許文献２】特開２００１−２３１２５２号公報
【特許文献３】特開２００２−２５８９２０号公報
【発明の開示】
【発明が解決しようとする課題】
【００２２】
前記特許文献１では、起動抵抗Ｒを小さくすることでコンデンサ容量が大きくても充電時間を速くしている。しかし、本願発明では、起動時給電回路の抵抗は、前記スイッチングコントロールＩＣに適した電圧に降圧するために設定されており、特許文献１のように小さくすることはできず、コンデンサを充電するために電流を増やせば電力消費が増大することが避けられない。
【００２３】
又、特許文献１では、起動した制御用回路ＩＣでトランジスタＴＲ１と電界効果トランジスタをオンオフ制御するこで起動抵抗に流れる電流を微小にし、損失を抑制しているが、前記制御用回路ＩＣの起動前においては、動作し得ない。即ち、上述した本願における前記スイッチングコントロールＩＣが起動する直前の電解コンデンサに蓄電される間における消費電力の低減に適用することはできない。
【００２４】
前記特許文献２では、パルス幅制御回路ＩＣが動作を始めた後に、トランジスタのＧに電圧供給してオフし、起動用抵抗Ｒ１による消費電力を削減しているので、特許文献１同様、本願における前記スイッチングコントロールＩＣが起動する直前の電解コンデンサに蓄電される間における消費電力の低減に適用することはできない。
【００２５】
前記特許文献３では、制御ＩＣによるスイッチング動作が始まることに伴うサーミスタの温度上昇を必要としているので、特許文献１、２同様、本願における前記スイッチングコントロールＩＣが起動する直前の電解コンデンサに蓄電される間における消費電力の低減に適用することはできない。
【００２６】
本発明は、上記問題にかんがみてなされたもので、スイッチング電源回路の起動時において、消費電力の増大を招く事無く、瞬断対策回路に設けられている電解コンデンサに起因した起動時間の遅延を回避する電源回路、及び当該電源回路を搭載したプラズマテレビを提供することを目的とする。
【課題を解決するための手段】
【００２７】
上記問題を解決する為に請求項１に記載の発明は、１次側の入力電圧をトランスを介して所望の電圧に変換して２次側で出力する電源回路を有するプラズマテレビにおいて、当該プラズマテレビは、映像を表示するＰＤＰと、音声を出力するスピーカと、外部から商用電源が入力される前記電源回路と、所定の直流電圧に変換されて当該電源回路より入力される、機器からの高周波電源の発生を抑えるアクティブフィルタ回路である外部回路としてのＰＦＣと、当該ＰＦＣを経由して電源入力される外部回路としての力率改善回路と、当該力率改善回路を経由して力率改善され各々電源入力される、前記ＰＤＰのプラズマ発光を維持するサスティン電極に電圧供給するため電源全体の７０％を使用する外部回路としてのＳＵＳと、前記ＰＤＰのアドドレス電極に電源を供給するための外部回路としてのＡＤＲＥＳＳと、アンテナで受信されるテレビ放送信号から選択されているチャンネルのテレビ放送信号を抽出し出力するチューナと、当該チューナが出力したテレビ放送信号に基づき、映像を前記ＰＤＰに表示させる映像処理部と、音声を前記スピーカに出力させる音声処理部と、スイッチのオン／オフ、チャンネルの切換、音量のアップ／ダウン等を操作するリモコンと、当該リモコンから送信された操作コマンドを受信するリモコン受信部と、当該リモコン受信部で受信した操作コマンドに応じてスイッチのオン／オフ、チャンネルの切換、音量のアップ／ダウン等の作動を制御するコントローラとを備えて成り、前記電源回路は、トランスと、当該トランスの１次側に設けられた１次側巻線回路、及び補助巻線回路と、２次側に設けられた２次側巻線回路とを備えたスイッチング電源回路であって、前記１次側巻線回路は、交流電源からの交流電流を全波整流するダイオードブリッジ回路と、当該ダイオードブリッジ回路で全波整流された直流電流から脈流を除く平滑コンデンサと、当該平滑コンデンサで脈流が除かれた直流電流を第１のスイッチング素子でオンオフさせて生ずる交流電流が流れる１次巻線とを有し、前記２次側巻線回路は、前記１次巻線側の電圧をトランスを介して所定の電圧に変換する２次巻線と、所定の電圧に変換された交流電流を半波整流するダイオードと、半波整流された直流電流から脈流を除く平滑コンデンサと、変圧された２次側の電圧の状態を１次側に出力してフィードバックする２次側フィードバック回路とを有し、前記補助巻線回路は、起動時を除く平時にトランスから電源供給される補助巻線と、前記２次側フィードバック回路からの出力を入力し、２次側の変換された電圧の状態に基づいて、前記１次巻線に流れる電流を適宜オンオフする１次側フィードバック回路と、落雷などに起因して生じる前記交流電源の瞬断時における外部回路へのバックアップ給電を行う瞬断対策回路と、起動時に補助巻線回路に給電するために前記１次側巻線回路との間に設けられた起動時給電回路と、起動時の当該起動時給電回路からの前記瞬断対策回路への給電を阻止して前記１次側フィードバック回路への給電を確保する起動時給電阻止回路とを有し、前記２次側フィードバック回路は、前記２次巻線両端子間に、２次巻線の電圧を所定の比率で降圧するために直列接続された２つの抵抗から成る分圧回路と、直列接続された電流調整用抵抗、フォトダイオード、及び第２のスイッチング素子のＥ−Ｃ間とが各々並列配置されると共に、前記分圧回路の２つの抵抗間と前記第２のスイッチング素子のＢとがツェナーダイオードを介して接続され、更に当該Ｂは抵抗を介してＧＮＤ接続されて成る一方、前記１次側フィードバック回路は、抵抗を介した定電流電圧源とＧＮＤ間に設けられ、前記フォトダイオードからの受光に応じて定電流電圧源とＧＮＤ間をオンオフするフォトトランジスタと、当該フォトトランジスタでオンオフされる定電流電圧源が入力されると共に、起動時には前記起動時給電回路から、起動時以外には前記補助巻線両端子から各々給電され、前記フォトトランジスタでオンオフされて入力される定電流電圧に基づいて内蔵される前記第１のスイッチング素子をオンオフし、前記１次側巻線回路の１次巻線に流れる電流をチョッパ制御するスイッチングコントロールＩＣとを備えて成り、前記２次巻線側の電圧が所定の電圧よりも上がると、前記２次側フィードバック回路において、前記分圧回路により分圧された電圧が前記ツェナーダイオードを介して前記第２のスイッチング素子のＢに印加されて当該第２のスイッチング素子はオンされ、前記フォトダイオードが発光し、これに伴い前記１次側フィードバック回路において、受光した前記フォトトランジスタは定電流電圧源とＧＮＤ間をオンして前記スイッチングコントロールＩＣへの定電流電圧源からの入力をＨｉからＬｏに切り換え、当該入力に基づいてスイッチングコントロールＩＣは、内蔵する前記第１のスイッチング素子をオンオフして前記１次巻線に流れる電流をチョッパ制御し、前記起動時給電回路は、前記１次側巻線回路に供給される交流電源と前記補助巻線の一端側間に、前記スイッチングコントロールＩＣに適した電圧に降圧するための抵抗と、半波整流するためのダイオードとが直列配置されて成り、前記瞬断対策回路は、前記補助巻線の一端側と前記起動時給電回路接続点間にアノードが補助巻線側となるように、半波整流するために設けられた第１のダイオードと、平時に蓄電すると共に瞬断時には前記外部回路に放電するために当該第１のダイオードのカソードと前記補助巻線の他端側との間に設けられた第１の電解コンデンサとから成り、前記起動時給電阻止回路は、前記第１のダイオードと前記起動時給電回路接続点間にアノードが第１のダイオード側となるように、半波整流すると共に起動時に前記第１の電解コンデンサへの蓄電を阻止し前記スイッチングコントロールＩＣにのみ給電するために設けられた第２のダイオードと、前記スイッチングコントロールＩＣへの当該給電電流の脈流を除くために、前記第２のダイオードのカソードと前記補助巻線の他端側との間に設けられた、小容量の第２の電解コンデンサとから成り、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われず、前記スイッチングコントロールＩＣへの給電を確保して早期に起動ならしめる構成としている。
【００２８】
上記のように構成した請求項１に記載の発明によれば、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われない。
【００２９】
請求項２に記載の発明は、１次側の入力電圧をトランスを介して所望の電圧に変換して２次側で出力する電源回路において、当該電源回路は、トランスと、当該トランスの１次側に設けられる１次側巻線回路、及び補助巻線回路と、２次側に設けられた２次側巻線回路とを備えたスイッチング電源回路であって、前記補助巻線回路は、起動時を除く平時にトランスから電源供給される補助巻線と、前記２次側巻線回路からフィードバックされる信号に基づいて１次側巻線回路をチョッパ制御するスイッチングコントロールＩＣと、落雷などに起因して生じる前記１次側巻線回路に供給される交流電源の瞬断時における外部回路へのバックアップ給電を行う瞬断対策回路と、起動時に補助巻線回路に給電するために前記１次側巻線回路との間に設けられた起動時給電回路と、起動時の当該起動時給電回路からの前記瞬断対策回路への給電を阻止して前記スイッチングコントロールＩＣへの給電を確保する起動時給電阻止回路とを有して成る構成としている。
【００３０】
上記のように構成した請求項２に記載の発明によれば、起動時においては、前記起動時給電回路を介して前記補助巻線回路に供給される電流は、前記起動時給電阻止回路により前記瞬断対策回路への流入が阻止される。
【発明の効果】
【００３１】
請求項１に記載の発明によれば、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われない。
【００３２】
よって、前記第１の電解コンデンサの蓄電の影響を受けることなく、前記スイッチングコントロールＩＣへの給電を確保して早期に起動ならしめる。
【００３３】
請求項２に記載の発明によれば、起動時においては、前記起動時給電回路を介して前記補助巻線回路に供給される電流は、前記起動時給電阻止回路により前記瞬断対策回路への流入が阻止される。
【００３４】
よって、前記瞬断対策回路の影響を受けることなく、前記スイッチングコントロールＩＣへの給電を確保して早期に起動ならしめる。
【００３５】
請求項３に記載の発明によれば、前記請求項１同様、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われない。
【００３６】
よって、前記第１の電解コンデンサの蓄電の影響を受けることなく、前記スイッチングコントロールＩＣへの給電を確保して早期に起動ならしめる。
【００３７】
請求項４に記載の発明によれば、前記請求項１同様、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われない。
【００３８】
よって、前記第１の電解コンデンサの蓄電の影響を受けることなく、前記スイッチングコントロールＩＣへの給電を確保して早期に起動ならしめる。
【発明を実施するための最良の形態】
【００３９】
以下、本発明を具体化した実施例について説明する。
【実施例１】
【００４０】
本実施例では、スイッチング電源回路を備えた電気電子機器としてプラズマテレビの場合を例に説明する。
【００４１】
図１には、プラズマテレビ１１の構成を説明するブロック図を示す。
【００４２】
同図において、プラズマテレビ１１の電源回路１２には、外部から商用電源（例えば、ＡＣ１００Ｖ）が入力される。当該電源回路１２では、後に詳述するように所定の直流電圧に変換され、外部回路としてのＰＦＣ１２ａに出力される。当該ＰＦＣ１２ａは、力率改善回路１２ｂに電源を供給するための回路で、機器からの高周波電源の発生を抑えるアクティブフィルタ回路である。
【００４３】
前記ＰＦＣ１２ａを経由して電源は力率改善回路１２ｂに入力され、力率改善された後に、外部回路としてのＳＵＳ１２ｃ及びＡＤＲＥＳＳ１２ｄ、更にはコントローラ１１ａ、チューナ１１ｂ、リモコン受信部１１ｈ等に供給される。
【００４４】
前記ＳＵＳ１２ｃは、サスティン駆動回路の略で、ＰＤＰ１１ｃのプラズマ発光を維持するサスティン電極（維持電極）に電圧を供給するためのもので、電源全体の７０パーセントを使用する。前記ＡＤＲＥＳＳ１２ｄは、ＰＤＰ１１ｃのアドドレス電極に電源を供給するための回路である。
【００４５】
前記チューナ１１ｂは図示していないアンテナで受信されるテレビ放送信号から選択されているチャンネルのテレビ放送信号を抽出し出力する。そして当該チューナ１１ｂが出力したテレビ放送信号に基づき、映像を映像処理部１１ｄによりＰＤＰ（プラズマディスプレイパネル）１１ｃに表示すると共に、音声を音声処理部１１ｆによりスピーカ１１ｅから出力する。又、リモコン受信部１１ｈでは、リモコン１１ｇから送信されてきた操作コマンドを受信して前記コントローラ１１ａに出力する。前記コントローラ１１ａは、リモコン受信部１１ｈで受信した操作コマンドに応じて、スイッチのオン／オフ、チャンネルの切換、音量のアップ／ダウン等の作動を制御する。
【００４６】
図２には、前記電源回路１２の回路図を示す。
【００４７】
同図において、当該電源回路１２は、トランス１４と、当該トランス１４の１次側に設けられた１次側巻線回路１３、及び補助巻線回路１６と、２次側に設けられた２次側巻線回路１５とを備えて成る。
【００４８】
前記１次側巻線回路１３は、例えば商用電源１００Ｖの交流電源１３ａからの交流電流を全波整流するダイオードブリッジ回路１３ｂと、当該ダイオードブリッジ回路１３ｂで全波整流された直流電流から脈流を除く平滑コンデンサ１３ｃと、当該平滑コンデンサ１３ｃで脈流が除かれた直流電流を後述するスイッチングコントロールＩＣ１６ｆが内蔵する第１のスイッチング素子１６ｇでオンオフさせて生ずる交流電流が流れる１次巻線１４ａとを有して成る。
【００４９】
前記２次側巻線回路１５は、前記１次巻線１４ａ側の電圧をトランス１４を介して所定の電圧に変換する２次巻線１４ｂと、所定の電圧に変換された交流電流を半波整流するダイオード１５ａと、半波整流された直流電流から脈流を除く平滑コンデンサ１５ｂと、変圧された２次側の電圧の状態を１次側に出力してフィードバックする２次側フィードバック回路１５ｃとを有して成る。
【００５０】
前記補助巻線回路１６は、起動時を除く平時にトランス１４から電源供給される補助巻線１４ｃと、前記２次側フィードバック回路１５ｃからの出力を入力し、２次側の変換された電圧の状態に基づいて、前記１次巻線１４ａに流れる電流を適宜オンオフする１次側フィードバック回路１６ａと、落雷などに起因して生じる前記交流電源１３ａの瞬断時における各外部回路１２ａ，１２ｂ，１２ｃ，１２ｄへのバックアップ給電を行う瞬断対策回路１６ｂと、起動時に補助巻線回路１６に給電するために前記１次側巻線回路１３との間に設けられた起動時給電回路１６ｃと、起動時の当該起動時給電回路１６ｃからの前記瞬断対策回路１６ｂへの給電を阻止して前記１次側フィードバック回路１６ａへの給電を確保する起動時給電阻止回路１６ｄを有して成る。
【００５１】
前記２次側フィードバック回路１６ａは、前記２次巻線１４ｂ両端子間に、２次巻線１４ｂの電圧を所定の比率で降圧するために直列接続された２つの抵抗１５ｄ１，１５ｄ２から成る分圧回路１５ｅと、直列接続された電流調整用抵抗１５ｆ、フォトダイオード１５ｇ、及び第２のスイッチング素子１５ｈのＥ−Ｃ間とが各々並列配置されると共に、前記分圧回路１５ｅの２つの抵抗１５ｄ１，１５ｄ２間と前記第２のスイッチング素子１５ｈのＢとがツェナーダイオード１５ｉを介して接続され、更に当該Ｂは抵抗を介してＧＮＤ接続されて成る一方、前記１次側フィードバック回路は、抵抗１６ｎを介した定電流電圧源ＶｃｃとＧＮＤ間に設けられ、前記フォトダイオード１５ｇからの受光に応じて定電流電圧源ＶｃｃとＧＮＤ間をオンオフするフォトトランジスタ１６ｅと、当該フォトトランジスタ１６ｅでオンオフされる定電流電圧源Ｖｃｃが入力されると共に、起動時には前記起動時給電回路１６ｃから、起動時以外には前記補助巻線１４ｃ両端子から各々給電され、前記フォトトランジスタ１６ｅでオンオフされて入力される定電流電圧に基づいて内蔵される前記第１のスイッチング素子１６ｇをオンオフし、前記１次側巻線回路１３の１次巻線１４ａに流れる電流をチョッパ制御するスイッチングコントロールＩＣ１６ｆとを備えて成る。
【００５２】
前記２次巻線１４ｂ側の電圧が所定の電圧よりも上がると、前記２次側フィードバック回路１５ｃにおいて、前記分圧回路１５ｅにより分圧された電圧が前記ツェナーダイオード１５ｉを介して前記第２のスイッチング素子１５ｈのＢに印加されて当該第２のスイッチング素子１５ｈはオンされ、前記フォトダイオード１５ｇが発光し、これに伴い前記１次側フィードバック回路１６ａにおいて、受光した前記フォトトランジスタ１６ｅは定電流電圧源ＶｃｃとＧＮＤ間をオンして前記スイッチングコントロールＩＣ１６ｆへの定電流電圧源Ｖｃｃからの入力をＨｉからＬｏに切り換え、当該入力に基づいてスイッチングコントロールＩＣ１６ｆは、内蔵する前記第１のスイッチング素子１６ｇをオンオフして前記１次巻線１４ａに流れる電流をチョッパ制御し、２次巻線１４ｂ側の電圧が常に所定の値に収まるように制御される。
【００５３】
前記起動時給電回路１６ｃは、前記１次側巻線回路１３に供給される交流電源と前記補助巻線１４ｃの一端側間に、前記スイッチングコントロールＩＣ１６ｆに適した電圧に降圧するための抵抗１６ｈと、半波整流するためのダイオード１６ｉとが直列配置されて成る。
【００５４】
即ち、平時には当該補助巻線回路１６には前記補助巻線１４ｃを介して給電が行われるが、起動時においては、未だ１次巻線１４ａには通電されていないため、前記補助巻線１４ｃからの給電ができない。そこで、こうした起動時に限っては、前記１次側巻線回路１３における交流電源１３ａから前記起動時給電回路１６ｃを介した補助巻線回路１６への給電が成されることになる。
【００５５】
前記瞬断対策回路１６ｂは、前記補助巻線１４ｃの一端側と前記起動時給電回路１６ｃ接続点間にアノードが補助巻線１４ｃ側となるように、半波整流するために設けられた第１のダイオード１６ｊと、平時に蓄電すると共に瞬断時には前記外部回路１２ａ，１２ｂ，１２ｃ，１２ｄに放電するために当該第１のダイオード１６ｊのカソードと前記補助巻線１４ｃの他端側との間に設けられた第１の電解コンデンサ１６ｋとから成り、落雷などに起因して生じる前記交流電源１３ａの瞬断時における外部回路１２ａ，１２ｂ，１２ｃ，１２ｄへのバックアップ給電が前記第１の電解コンデンサ１６ｋからの放電により行われる。
【００５６】
前記起動時給電阻止回路１６ｄは、前記第１のダイオード１６ｊと前記起動時給電回路１６ｃ接続点間にアノードが第１のダイオード１６ｊ側となるように、半波整流すると共に起動時に前記第１の電解コンデンサ１６ｋへの蓄電を阻止し前記スイッチングコントロールＩＣ１６ｆにのみ給電するために設けられた第２のダイオード１６ｌと、前記スイッチングコントロールＩＣ１６ｆへの当該給電電流の脈流を除くために、前記第２のダイオード１６ｌのカソードと前記補助巻線１４ｃの他端側との間に設けられた、小容量の第２の電解コンデンサ１６ｍとから成る。
【００５７】
上記のような回路構成を備えた前記電源回路１２を有するプラズマテレビ１１において、電源プラグがコンセントに差し込まれた起動時には、前記起動時給電回路１６ｃを介して前記補助巻線回路１６に供給される電流は、前記起動時給電阻止回路１６ｄの第２のダイオード１６ｌにより前記瞬断対策回路１６ｂの前記第１の電解コンデンサ１６ｋ側への流入が阻止され、小容量の前記第２の電解コンデンサ１６ｍ側にのみ流れる。従って、前記第１の電解コンデンサ１６ｋに蓄電されることはなく、前記第２の電解コンデンサ１６ｍにのみ蓄電される。
【００５８】
前記第２の電解コンデンサ１６ｍは小容量であるので、容量の大きい前記第１の電解コンデンサ１６ｋの場合とは異なり、蓄電は極めて短時間で済む。従って、前記第２のダイオード１６ｌで脈流が除かれた安定した直流電流が早期に前記スイッチングコントロールＩＣ１６ｆへ給電され、早期に起動され得る。しかも、前記起動時給電回路１６ｃを介して前記補助巻線回路１６に供給される電流を増やす必要は無く、消費電力が増大することもない。
【００５９】
以上に説明したように、本実施例におけるプラズマテレビに設けられた電源回路によれば、起動時、前記起動時給電阻止回路の小容量の第２のダイオードにより前記瞬断対策回路の容量の大きい前記第１の電解コンデンサ側への流入が阻止されるので、消費電力を増大させることなく、早期の起動を可能ならしめる電源回路、及び当該電源回路を搭載したプラズマテレビを提供し得る。
【００６０】
尚、本願発明は本実施例の構成に限定されるものではなく、以下に列記する構成について、適宜変更可能である。
【００６１】
１．本実施例では、電源回路をプラズマテレビに搭載する場合について説明したが、電源回路を搭載する電気電子機器は、プラズマテレビに限定されることはなく、ＣＲＴテレビ、ＰＤＰテレビ等の他のテレビ、更には各種家電製品等、電源回路を搭載する各種電気電子機器に広く適用可能である。
【００６２】
２．実施例における、電源回路の具体的な回路構成は一例に過ぎず、補助巻線回路において、起動時の起動時給電回路からの瞬断対策回路への給電を阻止してスイッチングコントロールＩＣへの給電を確保する起動時給電阻止回路を備えていれば、適宜変更可能である。
【００６３】
３．各スイッチング素子は、ＦＥＴ、スイッチングトランジスタ、ＩＧＢＴ等の各種スイッチング素子が適用可能である。
【００６４】
４．実施例におけるスイッチングコントロールＩＣは、その内部にオンオフするスイッチング素子を内蔵した一体型の構成としているが、これに限定はされず、スイッチング素子とスイッチング素子をオンオフ制御するコントーラ部分とを別々にした構成としても良い。
【００６５】
以下に請求項３以降の作用について述べる。
【００６６】
請求項３に記載の発明は、前記瞬断対策回路は、前記補助巻線の一端側と前記起動時給電回路接続点間にアノードが補助巻線側となるように、半波整流するために設けられた第１のダイオードと、平時に蓄電すると共に瞬断時には前記外部回路に放電するために当該第１のダイオードのカソードと前記補助巻線の他端側との間に設けられた第１の電解コンデンサとから成り、前記起動時給電阻止回路は、前記第１のダイオードと前記起動時給電回路接続点間にアノードが第１のダイオード側となるように、半波整流すると共に起動時に前記第１の電解コンデンサへの蓄電を阻止し前記スイッチングコントロールＩＣにのみ給電するために設けられた第２のダイオードと、前記スイッチングコントロールＩＣへの当該給電電流の脈流を除くために、前記第２のダイオードのカソードと前記補助巻線の他端側との間に設けられた、小容量の第２の電解コンデンサとから成る構成としている。
【００６７】
上記のように構成した請求項３に記載の発明によれば、前記請求項１の作用と同様に、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われない。
【００６８】
請求項４に記載の発明は、１次側の入力電圧をトランスを介して所望の電圧に変換して２次側で出力する電源回路において、当該電源回路は、トランスと、当該トランスの１次側に設けられた１次側巻線回路、及び補助巻線回路と、２次側に設けられた２次側巻線回路とを備えたプラズマテレビ用のスイッチング電源回路であって、前記１次側巻線回路は、交流電源からの交流電流を全波整流するダイオードブリッジ回路と、当該ダイオードブリッジ回路で全波整流された直流電流から脈流を除く平滑コンデンサと、当該平滑コンデンサで脈流が除かれた直流電流を第１のスイッチング素子でオンオフさせて生ずる交流電流が流れる１次巻線とを有し、前記２次側巻線回路は、前記１次巻線側の電圧をトランスを介して所定の電圧に変換する２次巻線と、所定の電圧に変換された交流電流を半波整流するダイオードと、半波整流された直流電流から脈流を除く平滑コンデンサと、変圧された２次側の電圧の状態を１次側に出力してフィードバックする２次側フィードバック回路とを有し、前記補助巻線回路は、起動時を除く平時にトランスから電源供給される補助巻線と、前記２次側フィードバック回路からの出力を入力し、２次側の変換された電圧の状態に基づいて、前記１次巻線に流れる電流を適宜オンオフする１次側フィードバック回路と、落雷などに起因して生じる前記交流電源の瞬断時における外部回路へのバックアップ給電を行う瞬断対策回路と、起動時に補助巻線回路に給電するために前記１次側巻線回路との間に設けられた起動時給電回路と、起動時の当該起動時給電回路からの前記瞬断対策回路への給電を阻止して前記１次側フィードバック回路への給電を確保する起動時給電阻止回路とを有し、前記２次側フィードバック回路は、前記２次巻線両端子間に、２次巻線の電圧を所定の比率で降圧するために直列接続された２つの抵抗から成る分圧回路と、直列接続された電流調整用抵抗、フォトダイオード、及び第２のスイッチング素子のＥ−Ｃ間とが各々並列配置されると共に、前記分圧回路の２つの抵抗間と前記第２のスイッチング素子のＢとがツェナーダイオードを介して接続され、更に当該Ｂは抵抗を介してＧＮＤ接続されて成る一方、前記１次側フィードバック回路は、抵抗を介した定電流電圧源とＧＮＤ間に設けられ、前記フォトダイオードからの受光に応じて定電流電圧源とＧＮＤ間をオンオフするフォトトランジスタと、当該フォトトランジスタでオンオフされる定電流電圧源が入力されると共に、起動時には前記起動時給電回路から、起動時以外には前記補助巻線両端子から各々給電され、前記フォトトランジスタでオンオフされて入力される定電流電圧に基づいて内蔵される前記第１のスイッチング素子をオンオフし、前記１次側巻線回路の１次巻線に流れる電流をチョッパ制御するスイッチングコントロールＩＣとを備えて成り、前記２次巻線側の電圧が所定の電圧よりも上がると、前記２次側フィードバック回路において、前記分圧回路により分圧された電圧が前記ツェナーダイオードを介して前記第２のスイッチング素子のＢに印加されて当該第２のスイッチング素子はオンされ、前記フォトダイオードが発光し、これに伴い前記１次側フィードバック回路において、受光した前記フォトトランジスタは定電流電圧源とＧＮＤ間をオンして前記スイッチングコントロールＩＣへの定電流電圧源からの入力をＨｉからＬｏに切り換え、当該入力に基づいてスイッチングコントロールＩＣは、内蔵する前記第１のスイッチング素子をオンオフして前記１次巻線に流れる電流をチョッパ制御し、前記起動時給電回路は、前記１次側巻線回路に供給される交流電源と前記補助巻線の一端側間に、前記スイッチングコントロールＩＣに適した電圧に降圧するための抵抗と、半波整流するためのダイオードとが直列配置されて成り、前記瞬断対策回路は、前記補助巻線の一端側と前記起動時給電回路接続点間にアノードが補助巻線側となるように、半波整流するために設けられた第１のダイオードと、平時に蓄電すると共に瞬断時には前記外部回路に放電するために当該第１のダイオードのカソードと前記補助巻線の他端側との間に設けられた第１の電解コンデンサとから成り、前記起動時給電阻止回路は、前記第１のダイオードと前記起動時給電回路接続点間にアノードが第１のダイオード側となるように、半波整流すると共に起動時に前記第１の電解コンデンサへの蓄電を阻止し前記スイッチングコントロールＩＣにのみ給電するために設けられた第２のダイオードと、前記スイッチングコントロールＩＣへの当該給電電流の脈流を除くために、前記第２のダイオードのカソードと前記補助巻線の他端側との間に設けられた、小容量の第２の電解コンデンサとから成り、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われず、前記スイッチングコントロールＩＣへの給電を確保して早期に起動ならしめる構成としている。
【００６９】
上記のように構成した請求項４に記載の発明によれば、前記請求項１の作用と同様に、起動時においては、前記起動時給電回路を介して前記補助巻線回路に供給される電流は、前記起動時給電阻止回路の第２のダイオードにより前記瞬断対策回路の前記第１の電解コンデンサ側への流入が阻止されて小容量の前記第２の電解コンデンサ側にのみ流れ、前記第１の電解コンデンサへの蓄電は行われない。
【産業上の利用可能性】
【００７０】
スイッチング電源回路の起動時において、消費電力の増大を招く事無く、瞬断対策回路に設けられている電解コンデンサに起因した起動時間の遅延を回避する電源回路、及び当該電源回路を搭載したプラズマテレビを提供する。
【図面の簡単な説明】
【００７１】
【図１】本発明の実施例１を説明するブロック図である。
【図２】本発明の実施例１を説明する回路図である。
【図３】従来技術を説明する回路図である。
【符号の説明】
【００７２】
１１…プラズマテレビ
１２…電源回路
１２ａ…外部回路としてのＰＦＣ
１２ｂ…外部回路としての力率改善回路
１２ｃ…外部回路としてのＳＵＳ
１２ｄ…外部回路としてのＡＤＲＥＳＳ
１３…１次側巻線回路
１３ａ…交流電源
１３ｂ…ダイオードブリッジ回路
１３ｃ…平滑コンデンサ
１４…トランス
１４ａ…１次巻線
１４ｂ…２次巻線
１４ｃ…補助巻線
１５…２次側巻線回路
１５ａ…ダイオード
１５ｂ…平滑コンデンサ
１５ｃ…２次側フィードバック回路
１５ｄ１，１５ｄ２…抵抗
１５ｅ…分圧回路
１５ｆ…電流調整用抵抗
１５ｇ…フォトダイオード
１５ｈ…第２のスイッチング素子
１５ｉ…第２のスイッチング素子
１６…補助巻線回路
１６ａ…１次側フィードバック回路
１６ｂ…瞬断対策回路
１６ｃ…起動時給電回路
１６ｄ…起動時給電阻止回路
１６ｅ…フォトトランジスタ
１６ｆ…スイッチングコントロールＩＣ
１６ｇ…第１のスイッチング素子
１６ｈ…抵抗
１６ｉ…ダイオード
１６ｊ…第１のダイオード
１６ｋ…第１の電解コンデンサ
１６ｌ…第２のダイオード
１６ｍ…第２の電解コンデンサ
１６ｎ…抵抗
【図１】
2007174510.tif 000003
【図２】
2007174510.tif 000004
【図３】
2007174510.tif 000005